(57)【特許請求の範囲】
【請求項１】
光源、反射傘等からなる発光部および電源、主コンデンサ等を含んでなる前記光源の発光制御回路とを外観を形成する外部筐体の内部に収納してなる電子閃光装置であって、前記外部筐体の全体形状が被写体側から見て縦方向の寸法より横方向の寸法が短く、奥行きの寸法がさらに短い略直方体形状を呈するようになされている時、発光部が発生した発光を外部に射出する開口部以外の被写体に対向する前面および前記被写体に対向しない背面の少なくとも一方の面に、横方向の中央部を被写体側から見た両側部より他面側に凹ませた凹部を形成してなる電子閃光装置。
【請求項２】
光源、反射傘等からなる発光部および電源、主コンデンサ等を含んでなる前記光源の発光制御回路とを外観を形成する外部筐体の内部に収納してなる電子閃光装置であって、前記外部筐体の全体形状が被写体側から見て縦方向の寸法に比して横方向の寸法および奥行きの寸法が長い略直方体を呈するようになされている時、被写体側から見た上面あるいは底面の少なくとも一方の面に奥行き方向の中央部を他面側に凹ませた凹部を形成してなる電子閃光装置。
【発明の詳細な説明】
【０００１】
【発明の属する技術分野】
本発明は写真用カメラとの連結部を介した信号授受による発光動作および他の電子閃光装置の発光を検知しての発光動作も行うことができる電子閃光装置に関し、特に、その外観の形状に特徴を有する電子閃光装置に関するものである。
【０００２】
【従来の技術】
従来より、写真撮影の際の被写体を照明する補助光源として電子閃光装置は有用されており、多種多様の装置が実用化されている。
例えば、写真用カメラとの連結構成を中心に見てみると、写真用カメラの上面部に設けられている連結構成を介して連結されるいわゆるクリップオン型電子閃光装置や、あるいは写真用カメラと周知のシンクロコードおよび取付補助具を介して連結されるいわゆるグリップ型電子閃光装置に分類できる。
【０００３】
また、写真用カメラとの間における信号授受の形態を中心に見てみると、写真用カメラとの間で周知のシンクロ信号のみの授受を行ういわゆる汎用電子閃光装置や、上記シンクロ信号に加えて絞り値・電子閃光装置の動作状態情報等の各種の撮影情報信号の授受を行ういわゆる専用電子閃光装置に分類できる。
さらに、カメラから供給されるシンクロ信号に応答して発光動作を開始するだけでなく、撮影を行う写真用カメラから離れた位置において他の電子閃光装置、例えば写真用カメラに装着された主電子閃光装置の発光を検知して発光動作を行えるいわゆるワイヤレス発光機能を備えた電子閃光装置も周知である。
【０００４】
かかる種々の型式の電子閃光装置は、通常、光源、反射傘等からなる発光部および電源、主コンデンサ等を含んでなる上記光源の発光制御回路部とを外観を形成する外部筐体の内部に収納して構成されており、また、外観の形状、すなわちこの外部筐体の全体形状についても、グリップ型のものは別にして、写真用カメラの上面部に装着される型式のものは、その大部分のものが略直方体形状を呈するように、例えば被写体側から見て縦方向の寸法より横方向の寸法が短く、奥行きの寸法がさらに短いような略直方体形状を呈するように形成されている。
【０００５】
なお、上記略直方体形状をより細かく見れば、その縦断面形状として、発光部が発生する発光を被写体に向けて射出するための開口部を含む部分が上記外部筐体の上方において他部分より被写体側に適宜量突出した形状、換言すれば略逆Ｌ字形状を有するものが一般的形状として周知である。
【０００６】
【発明が解決しようとする課題】
しかしながら、写真用カメラの上面部に装着される型式の電子閃光装置の外部筐体の具体的な形状についてみてみると、その使用状態が上述したように写真用カメラの上面部に装着されての使用となることから、通常、上記外部筐体を手の指で掴んで保持する場合を考慮、あるいは配慮した形状にはなされていない。
【０００７】
したがって、電子閃光装置を手で保持した状態での取り扱い動作、例えば写真用カメラの上面部に対しての装脱動作等を、当該電子閃光装置を容易に、かつ安定した状態で保持して行うことができない不都合点を有していた。
かかる点については、例えばその使用状態が写真用カメラの上面部に装着されての使用に限定されない前述したいわゆるワイヤレス発光機能を備えた電子閃光装置についても例外ではない。
【０００８】
このため、ワイヤレス発光機能を有する電子閃光装置をそのワイヤレス発光機能を用いて使用する時に、例えば写真用カメラと当該電子閃光装置の両者を撮影者が手で保持しようとする場合、上記電子閃光装置の外部筐体の形状が手の指で掴んで保持することを考慮した形状に形成されていないことから当該電子閃光装置を手で所望の好適な状態で容易に、かつ安定して保持しにくく、したがって所望の被写体照明状態を簡単、かつ容易に設定できない不都合点を生じる恐れや、さらにかかる不都合点により所望の被写体照明状態を得るために保持状態を種々検討する適宜の時間経過が必要になった場合、ともすればシャッターチャンスを逸してしまう不都合点を生じることになる恐れを有していた。
【０００９】
本発明は、上記のような不都合点を考慮してなしたもので、撮影者の手による保持を容易に、かつ安定して行うことができる外部筐体形状を有し、換言すれば手で所望の好適な状態で容易に、かつ安定して保持でき、よって手による取扱い動作を容易、かつ安定した保持状態で行うことができ、また所望の被写体照明状態を簡単、かつ容易に設定できる、特にワイヤレス発光機能を有する電子閃光装置として好適な電子閃光装置を提供することを目的とするものである。
【００１０】
【課題を解決するための手段】
この課題を解決するために本発明は、光源、反射傘等からなる発光部および電源、主コンデンサ等を含んでなる上記光源の発光制御回路部とを外観を形成する外部筐体の内部に収納してなる電子閃光装置であって、上記外部筐体の一部に、当該外部筐体を手で保持する場合に少なくとも一本の手の指を位置させるのに適した凹部を形成して上記電子閃光装置を構成したものである。
【００１１】
これにより、撮影者が手で掴んで保持しやすく、特にワイヤレス発光機能を有する電子閃光装置として好適な電子閃光装置を提供できることになる。
【００１２】
【発明の実施の形態】
本発明の請求項１に記載の発明は、光源、反射傘等からなる発光部および電源、主コンデンサ等を含んでなる前記光源の発光制御回路部とを外観を形成する外部筐体の内部に収納してなる電子閃光装置であって、前記外部筐体の全体形状が被写体側から見て縦方向の寸法より横方向の寸法が短く、奥行きの寸法がさらに短い略直方体形状を呈するようになされている時、発光部が発生した発光を外部に射出する開口部以外の被写体に対向する前面および前記被写体に対向しない背面の少なくとも一方の面に、縦方向の中央部を被写体側から見た両側部より他面側に凹ませた凹部を形成して電子閃光装置を構成したものであり、上記電子閃光装置を手の指で保持する時、上部凹部を介して外部筐体を手の指で掴むことにより、容易に、かつ安定して上記電子閃光装置の保持動作を行えるようになる作用を有する。
【００１３】
本発明の請求項２に記載の発明は、光源、反射傘等からなる発光部および電源、主コンデンサ等を含んでなる前記光源の発光制御回路部とを外観を形成する外部筐体の内部に収納してなる電子閃光装置であって、前記外部筐体の全体形状が被写体側から見て縦方向の寸法に比して横方向の寸法および奥行きの寸法が長い略直方体形状を呈するようになされている時、被写体側から見た上面あるいは底面の少なくとも一方の面に他面側に凹ませた凹部を形成して電子閃光装置を構成したものであり、上述した請求項１に記載の発明と同様の作用を有する。
【００１５】
以下、本発明の実施の形態について図面を用いて説明する。
（実施の形態１）
図１は、本発明による電子閃光装置の実施の形態１を示す略外観斜視図、図２は同実施の形態１の略底面図である。
なお、図１、図２に示したように本実施の形態１は、図示していない写真用カメラの上部に設けられる連結構成と連結されるシュー部２を外部筐体１の下部に備えていると共に他の電子閃光装置の発光を検知する受光センサ３を備えたいわゆるワイヤレス発光機能を備えたクリップオン型の電子閃光装置である。
【００１６】
外部筐体１の全体形状は、被写体４の側から見て縦方向の寸法Ｔより横方向の寸法Ｙが短く、奥行きの寸法Ｖがさらに短い略直方体形状を呈するようになされており、またその被写体４に対向する前面１Ａの上方には、図面には現れていないが光源、反射傘等からなる発光部が発生する発光を外部、例えば上記被写体４に向けて射出するための開口部５が配置されている。
【００１７】
さらに図２においてより明瞭に図示されているように、外部筐体１の上記開口部５以外の被写体４に対向する前面１Ａには、その縦方向の中央部１Ａａを、同方向の両側端部１Ａｂ，１Ａｂより背面側に凹ませることにより形成され、外部筐体１を手の指で掴んで保持する場合に少なくとも一本の手の指を位置させるのに適した凹部６が形成されている。
【００１８】
同様に、本実施の形態１においては外部筐体１の被写体４に対向しない背面１Ｂにも、その縦方向の中央部１Ｂａを、同方向の両側端部１Ｂｂ，１Ｂｂより前面側に凹ませることにより形成され、外部筐体１を手の指で掴んで保持する場合に少なくとも一本の手の指を位置させるのに適した凹部７が形成されている。
したがって、ワイヤレス発光機能を用いて本実施の形態１による電子閃光装置を使用する時、例えば写真用カメラと当該電子閃光装置の両者を撮影者が手で保持しようとする場合でも、図３の概略斜視図からも明らかなように、凹部６，７を介して外部筐体１を手の指８で掴むことにより、当該電子閃光装置を手の指８で所望の好適な状態に容易に、かつ安定した状態で保持できることになる。
【００１９】
加えて、手の指８によって上記外部筐体１を掴む保持動作は、手の指８が凹部６，７に導かれることにより行われ、換言すれば、上記動作は手の指８を凹部６，７に沿って自然に外部筐体１上に位置させることにより行えることになり、凹部が形成されていない外部筐体を保持する場合よりも行いやすくなる。
したがって、電子閃光装置を手で保持した状態での取り扱い動作を、当該電子閃光装置を容易に、かつ安定した状態で保持して行えることになることはもちろん、所望の被写体照明状態を簡単、かつ容易に設定できると共に、シャッターチャンスを逸してしまう不都合点を生じる恐れも減少させることができ、この結果、特にワイヤレス発光機能を有する電子閃光装置として好適な電子閃光装置を提供できることになる。
【００２０】
以上述べたように、本発明による電子閃光装置は、要は、外部筐体の一部に、当該外部筐体を手で保持する場合に少なくとも一本の手の指を位置させるのに適した凹部を形成することにより外部筐体を掴んで保持しやすくしたもので、本実施の形態１によれば、外部筐体の一部に形成された凹部を介して電子閃光装置の保持を行うことができ、この結果、撮影者が手で保持しやすい外部筐体形状を有し、特にワイヤレス発光機能を有する電子閃光装置として好適な電子閃光装置を提供できることになる。
【００２１】
なお、本実施の形態１においては、外部筐体１の前面と背面の両面に凹部６，７を形成しているが、本発明の電子閃光装置はかかる構成に限定されることはなく、上述したような機能を有する凹部については外部筐体１の前面もしくは背面の少なくとも一方の面に形成すれば良いことは詳述するまでもない。
（実施の形態２）
図４、図５は、夫々本発明による電子閃光装置の実施の形態２を示す略正面図と略右側面図であり、図中、図１、図２と同図番の構成要素は同一機能の構成要素を示している。
【００２２】
図４、図５からも明らかなように、本実施の形態２も先の図１、図２に示した実施の形態１と同様、写真用カメラの連結構成と連結されるシュー部２を外部筐体１の下部に備えていると共に他の電子閃光装置の発光を検知する受光センサ３を備えたいわゆるワイヤレス発光機能を備えたクリップオン型の電子閃光装置であり、またその前面１Ａには光源、反射傘等からなる発光部が発生する発光を外部に向けて射出するための開口部５が配置されている。
【００２３】
一方、外部筐体１の全体形状は先の実施の形態１の電子閃光装置とは異なり、その縦方向の寸法Ｔに比して横方向の寸法Ｙおよび奥行の寸法Ｖが長い略直方体形状を呈するようになされ、さらに外部筐体１の上面１Ｃと底面１Ｄには、その側面から見た夫々の中央部１Ｃａ、１Ｄａを、同方向から見た夫々の両側端部１Ｃｂ，１Ｃｂおよび１Ｄｂ，１Ｄｂより、夫々底面１Ｄ側および上面１Ｃ側に凹ませることにより形成され、外部筐体１を手で保持する場合に少なくとも一本の手の指を位置させるのに適した凹部９，１０が形成されている。
【００２４】
よって、ワイヤレス発光機能を用いて本実施の形態２による電子閃光装置を使用する時、例えば写真用カメラと当該電子閃光装置の両者を撮影者が手で保持しようとする場合でも、先に述べた実施の形態１と同様に、凹部９，１０を介して外部筐体１を手の指で掴むことにより、当該電子閃光装置を手の指で所望の好適な状態に容易に、かつ安定した状態で保持でき、もちろん、手の指による外部筐体１を掴む動作も、手の指を凹部９，１０に沿って自然に外部筐体１上に位置させることにより行えることになる。
【００２５】
したがって、本実施の形態２も先の実施の形態１と同様に、電子閃光装置を手で保持した状態での取り扱い動作を、当該電子閃光装置を容易に、かつ安定した状態で保持して行えることになることはもちろん、所望の被写体照明状態を簡単、かつ容易に設定できると共に、シャッターチャンスを逸してしまう不都合点を生じる恐れも減少させることができ、この結果、特にワイヤレス発光機能を有する電子閃光装置として好適な電子閃光装置を提供できることになる。
【００２６】
なお、本実施の形態２においては、外部筐体１の上面と底面の両面に凹部９，１０を形成しているが、本発明の電子閃光装置はかかる構成に限定されることはなく、上述したような機能を有する凹部については外部筐体１の上面もしくは底面の少なくとも一方の面に形成すれば良いことは詳述するまでもない。
【００２７】
【発明の効果】
本発明によるストロボ装置は、外部筐体の一部に、当該外部筐体を手で保持する場合に少なくとも一本の手の指を位置させるのに適した凹部を形成することにより外部筐体を掴んで保持しやすくしたものであり、これにより、外部筐体の一部に形成した凹部を介して電子閃光装置の手の指による保持およびその保持した状態での電子閃光装置の取り扱い動作を行うことができ、この結果、撮影者の手による保持を容易に、かつ安定して行うことができる外部筐体形状を有し、換言すれば手で所望の好適な状態で容易に、かつ安定して保持でき、よって手による取扱い動作を容易、かつ安定した保持状態で行うことができ、また所望の被写体照明状態を簡単、かつ容易に設定できる、特にワイヤレス発光機能を有する電子閃光装置として好適な電子閃光装置を提供できることになる効果を有している。
【図面の簡単な説明】
【図１】本発明による電子閃光装置の実施の形態１を示す略外観斜視図
【図２】同実施の形態１の略底面図
【図３】同実施の形態１を手で保持した場合を示す概略斜視図
【図４】本発明による電子閃光装置の実施の形態２を示す略正面図
【図５】同実施の形態２の略右側面図
【符号の説明】
１  外部筐体
２  シュー部
３  受光センサ
４  被写体
５  開口部
６  凹部
７  凹部
８  指
９  凹部
１０  凹部
【図１】
0003734893.tif 000002
【図２】
0003734893.tif 000003
【図３】
0003734893.tif 000004
【図４】
0003734893.tif 000005
【図５】
0003734893.tif 000006